(57)【要約】      （修正有）【課題】スピーカーをフレキシブルチューブによって支持させる場合に、フレキシブルチューブの特性を利用してスピーカーの音響特性を改善することができ、スピーカーのスタンドをフレキシブルチューブによって構成することができ、スピーカーの内蔵電池への充電を行いたいという要求に応え得るスピーカー装置を提供する。【解決手段】スピーカー１０とスタンド２０とを備える。スタンド２０としてフレキシブルチューブ２１を使用する。フレキシブルチューブ２１に、スピーカー１０の振動を吸収する弾性を付与しておく。フレキシブルチューブ２１は、ループ状ないし蛇行状の着座部２２を折曲げ変形させて形成することのできる長さを有する。フレキシブルチューブ２１に充電用コードを挿通しておき、その充電用コードに第１雄型コネクタ３２と第２雄型コネクタを設ける。【選択図】図４
0003215525.tif 000002
【実用新案登録請求の範囲】
【請求項１】
音源の音声信号を無線受信して内蔵電池の電力により駆動されるスピーカーと、このスピーカーを支持するスタンドと、を備えたスピーカー装置であって、
上記スタンドが、折曲げ変形可能でかつ折曲げ変形後の形状を自己保持することが可能なフレキシブルチューブでなり、このフレキシブルチューブに、上記スピーカーの駆動によって生起される当該スピーカーの振動を吸収する弾性が付与されていると共に、このフレキシブルチューブが、ループ状ないし蛇行状の着座部又は相手方部材に巻き付けて固定し得る巻き付け固定部を折曲げ変形させて形成することのできる長さを有することを特徴とするスピーカー装置。
【請求項２】
上記内蔵電池が充電式電池であり、上記フレキシブルチューブに、充電元の電源を充電先である上記内蔵電池に接続するための充電用コードが挿通されている請求項１に記載したスピーカー装置。
【請求項３】
上記充電用コードの入力端に具備されて上記充電元の電源に設けられている充電元雌型コネクタに対して差込み接続可能な第１雄型コネクタが上記フレキシブルチューブの一端部に固定されて一体化され、上記充電用コードの出力端に具備されて上記スピーカーに設けられている上記内蔵電池側の充電先雌型コネクタに対して差込み接続可能な第２雄型コネクタが上記フレキシブルチューブの他端部に固定されて一体化され、
上記第２雄型コネクタを上記充電先雌型コネクタに差込み接続することによって上記スピーカーが上記フレキシブルチューブに装着されるように構成されている請求項２に記載したスピーカー装置。
【請求項４】
上記充電元及び充電先の雌型コネクタ及び上記第１及び第２の雄型コネクタがＵＳＢコネクタである請求項３に記載したスピーカー装置。
【考案の詳細な説明】
【技術分野】
【０００１】
本考案は、スピーカー装置、特にコンパクト化された小型のスピーカーの音響特性を改善することが可能になるだけでなく、その使い勝手を高めることのできる対策が講じられたスピーカー装置に関する。
【背景技術】
【０００２】
コンピュータなどの周辺機器のひとつとして知られている小型スピーカーは、音源の音声信号を有線方式又は無線方式で受信し、外部電源又は内部電源の電力により駆動される。
【０００３】
この種のスピーカーの中で、音声信号を有線方式で受信し外部から供給される電力で駆動されるものが先行例として提案されている（たとえば、特許文献１参照）。この特許文献１はコンピュータースピーカー装置を提案していて、それによると、この装置は、スピーカーと信号処理回路とがハウジングに内蔵されているほか、ＵＳＢ（ユニバーサル・シリアル・バス）と接続可能なコネクタ及びフレキシブル支持部材を備え、フレキシブル支持部材の一端に上記ハウジングが配置され、上記コネクタがフレキシブル支持部材の他端に配置されている。また、この特許文献１には、コンピュータースピーカー装置の使用態様として、ノートパソコンのＵＳＢコネクタにフレキシブル支持部材の他端のコネクタを差込み接続することによって、立上り姿勢のフレキシブル支持部材によってスピーカーを支持することが示されている。
【０００４】
一方、他の先行例によると、携帯式電子装置を支持するために用いられる支持スタンドが提案されている（たとえば、特許文献２参照）。この支持スタンドは、台座と傾斜した支持板とを備えていて、使用時には、台座に載置した携帯式電子装置が支持板にもたせ掛けられる。
【先行技術文献】
【特許文献】
【０００５】
【特許文献１】特表２００８−５４１６０９号公報
【特許文献２】特開２０１４−１３１２８０号公報
【考案の概要】
【考案が解決しようとする課題】
【０００６】
ところで、コンパクト化された小型のスピーカーのユーザーにとっては、スピーカーの設置場所の状況にそれほど左右されずにスピーカーを安定性よく設置した上で、スマートフォンなどの携帯端末に格納した音源の音声信号を無線方式で送信することによって、スピーカーで受信させ、高音質で再生したいという要求がある。また、スピーカーの内蔵電池への充電を、充電用電池やパソコンを充電元の電源として行いたいという要求もある。
【０００７】
これらの要求に対し、上記した特許文献１によって提案されているコンピュータースピーカー装置は、無線方式による音声信号の受信機能を有していないだけでなく、フレキシブル支持部材の一端にスピーカーを内蔵するハウジングが配置されているために、机上などに置くときにフレキシブル支持部材がじゃまになって載置状態が安定しないという問題がある。
【０００８】
本考案は以上の状況に鑑みてなされたものであり、スピーカーをフレキシブルチューブによって支持させる場合に、そのフレキシブルチューブの特性を利用してスピーカーの音響特性を改善することができるだけでなく、スピーカーを支持するスタンドを上記フレキシブルチューブによって構成することができるようにして、スピーカーの設置場所の状況にそれほど左右されずにスピーカーを安定性よく設置することが可能になる使い勝手に優れたスピーカー装置を提供することを目的としている。
【０００９】
また、本考案は、スピーカーの内蔵電池への充電を、充電用電池やパソコンを充電元の電源として行いたいという要求にも応え得るスピーカー装置を提供することを目的としている。
【課題を解決するための手段】
【００１０】
本考案に係るスピーカー装置は、音源の音声信号を無線受信して内蔵電池の電力により駆動されるスピーカーと、このスピーカーを支持するスタンドと、を備えている。そして、上記スタンドが、折曲げ変形可能でかつ折曲げ変形後の形状を自己保持することが可能なフレキシブルチューブでなり、このフレキシブルチューブに、上記スピーカーの駆動によって生起される当該スピーカーの振動を吸収する弾性が付与されていると共に、このフレキシブルチューブが、ループ状ないし蛇行状の着座部又は相手方部材に巻き付けて固定し得る巻き付け固定部を折曲げ変形させて形成することのできる長さを有する、というものである。
【００１１】
このように構成されているスピーカー装置によると、折曲げ変形可能でかつ折曲げ変形後の形状を自己保持することが可能なフレキシブルチューブによってスピーカーを支持するスタンドが構成されていることにより、そのフレキシブルチューブを折曲げ変形させてスピーカーの向きや設置高さを自由に変えることができるようになる。また、スピーカーの駆動によってスピーカー自体に生じる振動がフレキシブルチューブの弾性により吸収されるために、スピーカーの振動が他部材と共振したり共鳴したりするような事態が生じなくなり、音響特性が改善されて音割れなどを生じにくくなる。しかも、フレキシブルチューブが、ループ状ないし蛇行状の着座部又は相手方部材に巻き付けて固定し得る巻き付け固定部を折曲げ変形させて形成することのできる長さを有しているという特有の構成を有していることにより、折曲げ変形させて形成された着座部を机上などに安定性よく置いたり、折曲げ変形させて形成された巻き付け固定部で椅子の肘置きといった相手方部材に安定性よく固定したりすることが可能になる。
【００１２】
本考案では、上記内蔵電池が充電式電池であり、上記フレキシブルチューブに、充電元の電源を充電先である上記内蔵電池に接続するための充電用コードが挿通されていることが望ましい。この構成を採用しておくと、充電用コードを利用して内蔵電池を充電することが可能でありながら、その充電用コードがフレキシブルチューブに挿通されているために充電に際して当該充電用コードがじゃまにならない。
【００１３】
本考案では、上記充電用コードの入力端に具備されて上記充電元の電源に設けられている充電元雌型コネクタに対して差込み接続可能な第１雄型コネクタが上記フレキシブルチューブの一端部に固定されて一体化され、上記充電用コードの出力端に具備されて上記スピーカーに設けられている上記内蔵電池側の充電先雌型コネクタに対して差込み接続可能な第２雄型コネクタが上記フレキシブルチューブの他端部に固定されて一体化され、上記第２雄型コネクタを上記充電先雌型コネクタに差込み接続することによって上記スピーカーが上記フレキシブルチューブに装着されるように構成されていることが望ましい。この構成であると、充電用コードの全長部分をフレキシブルチューブに挿通させることができるので、充電用コードがフレキシブルチューブの外で乱雑に引き回されることがなくなり、それだけ充電時の当該スピーカー装置の見栄えがよくなる。
【００１４】
本考案では、上記充電元及び充電先の雌型コネクタ及び上記第１及び第２の雄型コネクタがＵＳＢコネクタである、という構成を採用することが可能である。この構成を採用しておくと、内蔵電池の充電を、パソコンや充電用電池に付帯しているＵＳＢポートを利用して行うことができるようになり、しかも、第１雄型コネクタを充電元雌型コネクタに差込み接続したままフレキシブルチューブでスピーカーを支持させておくことも可能になる。
【考案の効果】
【００１５】
以上のように、本考案に係るスピーカー装置は、スピーカーを支持するスタンドとして、着座部や巻き付け固定部を形成することのできるフレキシブルチューブを採用したことにより、フレキシブルチューブがじゃまになってスピーカーの設置に困るという事態を生じる余地がないばかりか、スピーカーの設置場所の状況にそれほど左右されずにスピーカーを安定性よく設置することが可能になるという利点や使い勝手に優れているという利点がある。しかも、フレキシブルチューブの弾性によってスピーカーの振動が吸収されるので、スピーカーの振動が設置場所である机などと共振したり共鳴したりしてその音響特性が低下するという事態を抑制することが可能になる。また、フレキシブルチューブに、スピーカーの内蔵電池に接続するための充電用コードが挿通されているものでは、内蔵電池への充電を、充電用電池やパソコンを充電元として行いたいという要求にも応え得るという効果が奏される。
【図面の簡単な説明】
【００１６】
【図１】スピーカー装置に採用されているスピーカーを斜め上方から見た場合の概略斜視図である。
【図２】図１のスピーカーを斜め下方から見た場合の概略斜視図である。
【図３】一部省略して示したスタンドの概略斜視図である。
【図４】スピーカーの駆動時の使用形態を例示した概略斜視図である。
【図５】スピーカーの充電時の使用形態を例示している。
【考案を実施するための形態】
【００１７】
以下、本考案に係るスピーカー装置の実施形態を説明する。図１はスピーカー装置に採用されているスピーカー１０を斜め上方から見た場合の概略斜視図、図２は同スピーカー１０を斜め下方から見た場合の概略斜視図である。
【００１８】
このスピーカー１０は、略球状の筐体１１の内部に、機械的振動によって音を吐出するスピーカー本体のほか、音源の音声信号を無線受信して一定の処理を行う信号処理回路や充電式電池でなる内蔵電池などを収容している。筐体１１には、音の吐出口１２や、上記内蔵電池を充電する際に使用される充電先雌型コネクタ１３が設けられている。この充電先雌型コネクタ１３はＵＳＢ規格に対応するＵＳＢコネクタでなる。さらに、内蔵電池による駆動電力のオンオフを制御するための電源ボタン１４を備えている。このようなスピーカー１０として、たとえばパソコンやスマートフォンなどの電子機器との無線接続（ワイヤレス接続）が可能なブルートゥース（登録商標）スピーカーなどが知られていて、このものは、室内室外を問わず高音質の音声をシェアすることができる。このスピーカー１０は手のひらに載る程度に小形化されていて、その駆動によって不可避的に全体が振動するので、机などに直置きして大音量で音を再生したようなときには、共振や共鳴を生じて所謂ビビリ音といったノイズの混ざった再生音を生じるおそれもある。
【００１９】
図３は一部省略して示したスタンド２０の概略斜視図である。このスタンド２０は樹脂製外皮によって保護されたフレキシブルチューブ２１でなる。フレキシブルチューブ２１は一般的には金属製の波形管を意味していて、小さい力で容易に折曲げ変形可能でかつ折曲げ変形後の形状を自己保持することが可能であるという特性を備えているほか、振動吸収性にも優れている。図例のフレキシブルチューブ２１は十分に長い長さを有していて、その十分な長さを利用してループ状に折り曲げたり蛇行状に折り曲げたり、さらには、椅子の肘置きなどに巻き付けたりすることが可能である。そして、ループ状ないし蛇行状に折り曲げられた箇所は着座部としての機能を発揮し、その着座部を机上や床面上などに倒れないように安定した状態で載置することができる。椅子の肘置きなどに巻き付けた場合には、その巻き付け箇所が巻き付け固定部としての機能を発揮するので、フレキシブルチューブ２１が巻き付けの相手方部材（上記肘置き部分など）に倒れないように安定した状態で支持されることになる。したがって、図示していないけれども、フレキシブルチューブ２１の一端部にスピーカー１０を装着し、他端部側に上記した着座部や巻き付け固定部を形成しておくと、着座部を利用してスピーカー１０を机上や床面上などに設置したり、巻き付け固定部を利用してスピーカー１０を相手方部材などに固定して設置することが可能である。
【００２０】
この実施形態において、スピーカー１０の内蔵電池には充電式電池が採用されている。充電式電池にはリチウムイオン電池のほか、ニッケル水素電池などが知られていて、この種の充電式電池は、電圧低下に応じて繰り返し充電することが可能である。この実施形態では、充電元の電源として、モバイルバッテリーとしての使用が可能なコンパクトな充電用蓄電池のＵＳＢコネクタから出力される電力を使用することができるほか、パソコンのＵＳＢコネクタから出力される電力を使用したりすることが可能である。
【００２１】
この実施形態では、内蔵電池を充電するためのデバイスとして、充電元の電源を充電先である上記内蔵電池に接続するための充電用コード３１と、この充電用コード３１の入力端に具備されている第１雄型コネクタ３２と、充電用コード３１の出力端に具備されている第２雄型コネクタ３３とが採用されている。これらの第１雄型コネクタ３２及び第２雄型コネクタ３３はＵＳＢ規格に対応するＵＳＢコネクタである。そして、第１雄型コネクタ３２の相手方コネクタとして、上記充電用蓄電池や上記パソコンに設けられている充電元雌型コネクタ（ＵＳＢコネクタ）を選択することが可能であり、第２雄型コネクタ３３の相手方コネクタとして、スピーカー１０に設けられている充電先雌型コネクタ（ＵＳＢコネクタ）１３が選択される。
【００２２】
図３のように、充電用コード３１はその全長部分が上記フレキシブルチューブ２１に挿通されている。そして、同図のように、第１雄型コネクタ３２のグリップ３４を、フレキシブルチューブ２１の一端部に樹脂でインサート成形してあり、そうすることによって第１雄型コネクタ３２がフレキシブルチューブ２１の一端部に固定されて一体化されている。同様に、第２雄型コネクタ３３のグリップ３５を、フレキシブルチューブ２１の他端部に樹脂でインサート成形してあり、そうすることによってその第２雄型コネクタ３３がフレキシブルチューブ２１の他端部に固定されて一体化されている。なお、図３には第１雄型コネクタ３２を使用しないときに、その第１雄型コネクタ３２に装着される保護キャップ３６が示されている。
【００２３】
図４はスピーカー１０の駆動時の使用形態を例示した概略斜視図である。この使用形態では、第２雄型コネクタ３３（図３参照）を図２に示したスピーカー１０の充電先雌型コネクタ１３に差込み接続することによって、スピーカー１０がフレキシブルチューブ２１の他端部に装着されている。また、フレキシブルチューブ２１の一端部側の一定長さ部分をループ状に折り曲げられて着座部２２が形成されていて、その着座部２２を机や床面などの被載置面Ｐの上に載置している。この使用形態では、フレキシブルチューブ２１の着座部２２を除く部分が上方に立ち上げられていて、その立上り部２３の頂部にスピーカー１０が装着された構成になっている。ループ状の着座部２２の大きさは、スピーカー１０を安定性よく支持し得る程度の大きさに定められていて、一般的には、ループ状の着座部２２が径大であるほどスピーカー１０の着座状態が安定する。また、スピーカー１０の向きは、立上り部２３をねじ曲げたり折り曲げたりすることによって自由に調節することが可能である。
【００２４】
図４の使用形態を採用すると、スピーカー１０が駆動されて音を再生しているときに不可避的に生じるスピーカー１０の振動が、フレキシブルチューブ２１の振動により吸収される。そのため、スピーカー１０の振動が被載置面Ｐに伝達されることにより生じる共振や共鳴が抑制され、それだけスピーカー１０の音響特性が改善される。
【００２５】
図示していないけれども、フレキシブルチューブ２１の一端部側を蛇行状に折曲げ変形することによっても着座部を形成することが可能である。また、フレキシブルチューブ２１の一端部側を折曲げ変形させて椅子の肘置きといった相手方部材に巻き付けて固定することも可能であり、その場合には、巻き付け箇所が巻き付け固定部を形成することになる。そして、そのような使用形態であっても、上記同様に、スピーカー１０が駆動されて音を再生しているときに不可避的に生じるスピーカー１０の振動が、フレキシブルチューブ２１の振動により吸収される。そのため、スピーカー１０の振動が被載置面Ｐに伝達されることにより生じる共振や共鳴が抑制され、それだけスピーカー１０の音響特性が改善される。
【００２６】
図５はスピーカー１０の充電時の使用形態を例示している。この使用形態では、モバイルバッテリーとしての使用が可能なコンパクトな充電用蓄電池Ｂを充電元の電源として、その充電用蓄電池Ｂに備わっている充電元雌型コネクタに対して第１雄型コネクタ３２を差込み接続している。なお、第２雄型コネクタ３３はスピーカー１０の充電先雌型コネクタ１３に差込接続されている。スピーカー１０に対する充電をこの態様で行うと、充電用コード３１がフレキシブルチューブ２１に挿通されていることにより、その充電用コード３１が周囲に乱雑に引き回されるという状況が生じないという利点がある。また、充電用蓄電池Ｂが十分に重いものであると、その充電用蓄電池Ｂから延び出たフレキシブルチューブ２１によってスピーカー１０が支持されるようになる。なお、充電時には、同図のように第１雄型コネクタ３２に保護キャップ３６を装着しておくことが望ましい。
【符号の説明】
【００２７】
１０  スピーカー
１３  充電先雌型コネクタ
２０  スタンド
２１  フレキシブルチューブ
２２  着座部
３１  充電用コード
３２  第１雄型コネクタ
３３  第２雄型コネクタ
【図１】
0003215525.tif 000003
【図２】
0003215525.tif 000004
【図３】
0003215525.tif 000005
【図４】
0003215525.tif 000006
【図５】
0003215525.tif 000007